(57)【特許請求の範囲】
【請求項１】
略平面形状を有するキーシートと、
前記キーシートの一面の第１の領域に接着して設けられる、少なくとも１以上のキートップと、
キートップが設けられる前記キーシートの同一面のうち、キートップが設けられる前記第１の領域に対して一側辺の方向に存在する第２の領域に、このキートップに近接しつつ接着して設けられるキーホルダと、
キートップとキーホルダとが設けられる前記キーシートの一面に対して裏側の他面のうち、前記キーシートの一面の第２の領域に設けられたキーホルダと対向する位置に接着して設けられるキー基板とを備え、
前記キーシートの他面は折り返してキー基板を挟みつつキーホルダに巻き付けられるとともに、前記キーシートの他面の端部がキーホルダの一部に接着され、前記キーシートの一面の第１の領域に設けられるキートップと、前記キーシートの一面の第２の領域に設けられるキーホルダとが、前記キーシートの他面に設けられるキー基板を挟んで背中合わせに対向しつつ、前記キーシートの一部がキートップとキー基板との間に挟持されることを特徴とするキーユニット。
【請求項２】
前記キーホルダには、前記キーシート側の一面に、少なくとも１つ以上のキーホルダ一面ピンが設けられ、
前記キーシートには、前記キーシートの一面の前記第２の領域のうち、前記キーホルダ一面ピンに対応する位置に、前記キーホルダ一面ピンと嵌合するキーホルダ一面ピン穴が設けられ、
前記キーシートの一面に前記キーホルダが接着された状態で前記キーホルダ一面ピンと前記キーホルダ一面ピン穴が嵌合されることを特徴とする請求項１に記載のキーユニット。
【請求項３】
前記キー基板には、前記キーシートの一面に前記キーホルダが接着された状態で前記キーホルダ一面ピン穴に嵌合されて前記キーシートから突出した前記キーホルダ一面ピンに対応する位置に、前記キーホルダ一面ピンと嵌合するピン穴が設けられ、前記キーシートの他面に前記キー基板が接着された状態で前記キーホルダ一面ピンと前記ピン穴が嵌合されることを特徴とする請求項２に記載のキーユニット。
【請求項４】
前記キーホルダには、前記キーホルダの前記キーシート側の一面に対して裏側の他面に、少なくとも１つ以上のキーホルダ他面ピンが設けられるとともに、
前記キーシートには、前記キーシートの他面の端部のうちの、巻き付けられて前記キーシートの他面に接着される前記キーホルダ他面ピンに対応する位置に、前記キーホルダ一面ピンと嵌合するキーホルダ他面ピン穴が設けられ、
前記キーシートの他面の端部が前記キーホルダの他面に接着された状態で前記キーホルダ他面ピンと前記キーホルダ他面ピン穴が嵌合されることを特徴とする請求項１に記載のキーユニット。
【請求項５】
前記キーシートは、ＰＥＴフィルムからなることを特徴とする請求項１に記載のキーユニット。
【請求項６】
前記キーシートの他面は、撓みをもってキーホルダに巻き付けられることを特徴とする請求項１に記載のキーユニット。
【請求項７】
前記キーユニットは、サイドキーユニットであることを特徴とする請求項１に記載のキーユニット。
【請求項８】
前記キー基板には、回路基板と接続する接続端子がさらに設けられ、前記キーユニットは、前記接続端子を介して前記回路基板に接続されることを特徴とする請求項１に記載のキーユニット。
【請求項９】
回路基板と、前記回路基板に接続されるキーユニットと、前記キーユニットが接続された回路基板を組み込む筐体とを備える携帯電話機であって、
前記キーユニットは、
略平面形状を有するキーシートと、
前記キーシートの一面の第１の領域に接着して設けられる、少なくとも１以上のキートップと、
キートップが設けられる前記キーシートの同一面のうち、キートップが設けられる前記第１の領域に対して一側辺の方向に存在する第２の領域に、このキートップに近接しつつ接着して設けられるキーホルダと、
キートップとキーホルダとが設けられる前記キーシートの一面に対して裏側の他面のうち、前記キーシートの一面の第２の領域に設けられたキーホルダと対向する位置に接着して設けられるキー基板とを備え、
前記キーシートの他面は折り返してキー基板を挟みつつキーホルダに巻き付けられるとともに、前記キーシートの他面の端部がキーホルダの一部に接着され、前記キーシートの一面の第１の領域に設けられるキートップと、前記キーシートの一面の第２の領域に設けられるキーホルダとが、前記キーシートの他面に設けられるキー基板を挟んで背中合わせに対向しつつ、前記キーシートの一部がキートップとキー基板との間に挟持されることを特徴とする携帯電話機。
【発明の詳細な説明】
【技術分野】
【０００１】
本発明はキーユニットおよび携帯電話機に係り、特に、携帯電話機に組み込まれるサイドキーとその基板とをユニット化することができるようにしたキーユニットおよび携帯電話機に関する。
【背景技術】
【０００２】
近年、情報処理装置としての携帯電話機には、単なる音声通話による通信機能だけでなく、アドレス帳機能、カメラ機能、基地局やインターネットなどのネットワークを介したメール機能や、Ｗｅｂページなどを閲覧することが可能なブラウザ機能などの種々の機能が搭載されるようになってきている。これに伴い、携帯電話機の側面には、従来からの操作キー（例えば十字キーなどの操作キー）以外に、種々の機能を持たせたサイドキーが設けられるようになってきている。
【０００３】
従来のサイドキーは、一般的に、サイドキーのキートップ自体がシリコンラバーに接着されている。このキートップは独立した単体の部品として取り扱われ、携帯電話機の組立て時には、メインの回路基板にサイドキー用のフレキシブルプリント基板を挿入するとともに、このキートップの組込みが行われる。
【０００４】
なお、シリコンラバーに接着されたサイドキーのキートップに関する技術として、例えば部品点数が少なく作業性が良好であり、しかも、発生する静電気にも対応することができる技術が知られている（例えば特許文献１参照）。
【特許文献１】特開２００６−２１１５８１号公報
【発明の開示】
【発明が解決しようとする課題】
【０００５】
しかしながら、シリコンラバーに接着されたサイドキーのキートップの場合、携帯電話機の組立て時には、メインの回路基板にサイドキー用のフレキシブルプリント基板を挿入するとともに、このキートップの組込みが行われるが、キートップとサイドキー用のフレキシブルプリント基板との間での接着が困難であるため、組立て時におけるキートップの脱落などが頻繁に発生してしまい、キートップの組み立てに多くの手間がかかってしまうという課題があった。また、たとえ組立て時におけるキートップの脱落自体はなくても、組立て自体が不十分であると、キートップとサイドキー用のフレキシブルプリント基板との間で接触不良が発生してしまい、その結果、ユーザクレームに繋がってしまう。このような課題は、特許文献１に提案されている技術では解決することはできない。
【０００６】
本発明は、このような状況に鑑みてなされたものであり、サイドキーのキートップとプリント基板とをユニット化し、本体への組立て時における作業を簡便に行うことができるキーユニットおよび携帯電話機を提供することを目的とする。
【課題を解決するための手段】
【０００７】
本発明のキーユニットは、上述した課題を解決するために、略平面形状を有するキーシートと、キーシートの一面の第１の領域に接着して設けられる、少なくとも１以上のキートップと、キートップが設けられるキーシートの同一面のうち、キートップが設けられる第１の領域に対して一側辺の方向に存在する第２の領域に、このキートップに近接しつつ接着して設けられるキーホルダと、キートップとキーホルダとが設けられるキーシートの一面に対して裏側の他面のうち、キーシートの一面の第２の領域に設けられたキーホルダと対向する位置に接着して設けられるキー基板とを備え、キーシートの他面は折り返してキー基板を挟みつつキーホルダに巻き付けられるとともに、キーシートの他面の端部がキーホルダの一部に接着され、キーシートの一面の第１の領域に設けられるキートップと、キーシートの一面の第２の領域に設けられるキーホルダとが、キーシートの他面に設けられるキー基板を挟んで背中合わせに対向しつつ、キーシートの一部がキートップとキー基板との間に挟持されることを特徴とする。
【０００８】
本発明の携帯電話機は、上述した課題を解決するために、回路基板と、回路基板に接続されるキーユニットと、キーユニットが接続された回路基板を組み込む筐体とを備える携帯電話機であって、キーユニットは、略平面形状を有するキーシートと、キーシートの一面の第１の領域に接着して設けられる、少なくとも１以上のキートップと、キートップが設けられるキーシートの同一面のうち、キートップが設けられる第１の領域に対して一側辺の方向に存在する第２の領域に、このキートップに近接しつつ接着して設けられるキーホルダと、キートップとキーホルダとが設けられるキーシートの一面に対して裏側の他面のうち、キーシートの一面の第２の領域に設けられたキーホルダと対向する位置に接着して設けられるキー基板とを備え、キーシートの他面は折り返してキー基板を挟みつつキーホルダに巻き付けられるとともに、キーシートの他面の端部がキーホルダの一部に接着され、キーシートの一面の第１の領域に設けられるキートップと、キーシートの一面の第２の領域に設けられるキーホルダとが、キーシートの他面に設けられるキー基板を挟んで背中合わせに対向しつつ、キーシートの一部がキートップとキー基板との間に挟持されることを特徴とする。
【発明の効果】
【０００９】
本発明によれば、サイドキーのキートップとプリント基板とをユニット化し、本体への組立て時における作業を簡便に行うことができる。
【発明を実施するための最良の形態】
【００１０】
以下、本発明の実施の形態について、図面を参照しながら説明する。
【００１１】
図１は、シリコンラバー５に接着された従来のサイドキーのキートップ４の筐体１への組み立て時における工程を説明するための説明図である。図１に示されるように、携帯電話機の筐体１にメインの回路基板２が組み込まれる際、メインの回路基板２の一側面には、サイドキー用のフレキシブルプリント基板３が接続端子（図示せず）を介して接続される。一方、筐体１には、サイドキーのキートップ４が図１の矢印Ｘの方向から組み込まれ、筐体１に予め設けられた開口部Ｐ１乃至Ｐ２にサイドキーのキートップ４がそれぞれ嵌め込まれる。次に、サイドキーのキートップ４が嵌め込まれた筐体１には、サイドキー用のフレキシブルプリント基板３が接続されたメインの回路基板２が、図１の矢印Ｙの方向から嵌め込まれる。
【００１２】
図２は、図１の組み立て工程により組立てられたフレキシブルプリント基板３とサイドキーのキートップ４の断面図を表している。図２に示されるように、筐体１の開口部Ｐ（Ｐ１乃至Ｐ２）に嵌め込まれた、シリコンラバー５に接着されたサイドキーのキートップ４は、サイドキー用のフレキシブルプリント基板３に近接して設けられている。ユーザによりサイドキーのキートップ４が押圧されると、シリコンラバー５に形成された凸部５ａが、フレキシブルプリント基板３に設けられた皿バネ３ａを押圧する。これにより、サイドキーのキートップ４の押圧がフレキシブルプリント基板３にて電気信号に変換され、変換された電気信号は回路基板２に入力される。このように、サイドキーによる入力が行われる。
【００１３】
しかしながら、シリコンラバー５に接着されたサイドキーのキートップ４の場合、携帯電話機の組立て時には、図１に示されるように、メインの回路基板２の側面にサイドキー用のフレキシブルプリント基板３の接続端子を挿入してキートップ４の組込みが行われるが、キートップ４とサイドキー用のフレキシブルプリント基板３との間での接着（固定）が困難であり、キートップ４とサイドキー用のフレキシブルプリント基板３との間での固定が不十分であるため、組立て時におけるキートップ４の筐体１からの脱落などが頻繁に発生してしまい、キートップ４の組み立てに多くの手間がかかってしまう。また、たとえ組立て時におけるキートップ４の筐体１からの脱落自体はなくても、組立て時にシリコンラバーが筐体１と回路基板２との間に挟まって潰れてしまうなどによって組立て自体が不十分であると、キートップ４とサイドキー用のフレキシブルプリント基板３との間で接触不良が発生してしまい、その結果、ユーザクレームに繋がってしまう。
【００１４】
そこで、本発明では、従来のシリコンラバー５によって接着されていたサイドキーのキートップ４を、シリコン以外の樹脂部材によって固定したり、あるいは、サイドキーのキートップ４とフレキシブルプリント基板３を独立のユニットにユニット化するようにする。本発明の実施形態においては、シリコン以外の樹脂部材として例えばＰＥＴ（Polyethylene Terephthalate）を用いて、サイドキーのキートップ４とフレキシブルプリント基板３を独立のユニットにユニット化するようにする。これにより、サイドキーのキートップ４とプリント基板３とをサイドキーユニットとしてユニット化し、本体への組立て時における作業を簡便に行うことが可能となる。以下、このサイドキーのユニット化の工程について説明する。なお、以下の本発明の実施形態の説明においては、図１と図２に示される構成と対応するものに関しては同一の符号を付している。
【００１５】
図３は、本発明に係る、キートップ４を接着させたキーシート６の外観斜視図を表している。図３に示されるように、ＰＥＴフィルムからなるキーシート６の表面の略中央部の領域（以下、「第１の領域」という。）には、キートップ４ａ乃至４ｄがキーシート６の一側辺に略平行して接着して設けられている。本発明の実施形態においては、キーシート６に、キートップ４ａ乃至４ｄに示される４つのキートップ４が接着されて設けられるようにしたが、このような場合に限られず、キーシート６に接着されるキートップ４が少なくとも１つ以上あれば、本発明を適用することができる。
【００１６】
図４は、図３のキートップ４を接着させたキーシート６の展開図を表している。図４（Ａ）は図３のキートップ４を接着させたキーシート６の正面図であり、図４（Ｂ）は図４（Ａ）のキートップ４を接着させたキーシート６の側面図である。
【００１７】
図４（Ａ）に示されるように、ＰＥＴフィルムからなるキーシート６は略平面形状を有しており、キーシート６の表面の略中央部の第１の領域には、キートップ４ａ乃至４ｄが接着して設けられている。また、キーシート６の表面の第２の領域（キーシート６の表面の第１の領域に近接する第２の領域）には、キーシート６の表面の第２の領域に図４（Ａ）の正面側から接着されるキーホルダ（後述する図７のキーホルダ１０）の裏面のピン（図８に示されるキーホルダ裏面ピン１１−１乃至１１−３）と嵌合するキーホルダ裏面ピン穴７−１乃至７−３が設けられている。このキーホルダ裏面ピン穴７−１乃至７−３は、キーシート６の表面（図４（Ａ）の正面側の面）の裏面まで貫通している。さらに、キーシート６の表面の第３の領域（キーシート６の表面の第１の領域に近接する第３の領域）には、キーシート６の表面に接着されるキーホルダの表面のピン（図７に示されるキーホルダ表面ピン１２−１乃至１２−３）と嵌合するキーホルダ表面ピン穴８−１乃至８−３が設けられている。後述するように、キーシート６の表面の第２領域に接着されたキーホルダの表面に、キーシート６の裏面の端部（キーシート６の表面の第３領域に対応する裏面の第３領域の一部分）が巻き付けられて接着された場合に、キーホルダ表面ピン穴８−１乃至８−３は、キーホルダの表面に設けられたピンに嵌合される。
【００１８】
図５は、図３のキートップ４を接着させたキーシート６の他の展開図を表している。図５（Ａ）は図３のキートップ４を接着させたキーシート６の背面図であり、図５（Ｂ）は図５（Ａ）のキートップ４を接着させたキーシート６の側面図である。
【００１９】
キーシート６の裏面は、キーシート６の表面の第１の領域乃至第３の領域に対応する第１の領域乃至第３の領域が設けられている。キーシート６の裏面の第２領域には、キーシート６の表面の第２領域から貫通したキーホルダ裏面ピン穴７−１乃至７−３が設けられており、キーシート６の裏面の第３領域には、キーシート６の表面の第３領域から貫通したキーホルダ表面ピン穴８−１乃至８−３が設けられている。また、キーシート６の裏面の第１領域には、キーシート６の表面の第１領域に接着して設けられた各キートップ（キートップ４ａ乃至４ｄ）に設けられた、サイドキー用のフレキシブルプリント基板３の皿バネ３ａを押圧する押圧凸部９−１乃至９−５が、それぞれキーシート６の裏面から突出して設けられている。なお、図６は、図５（Ａ）のＭ−Ｍ´線上における断面図を表している。
【００２０】
図７および図８は、図３乃至図６に示される、キートップ４を接着させたキーシート６にキーホルダ１０を貼り合わせる際の外観斜視図である。図７および図８を参照して、図３乃至図６に示される、キートップ４を接着させたキーシート６にキーホルダ１０を貼り合わせる工程を説明する。なお、図７は、キートップ４を接着させたキーシート６にキーホルダ１０を貼り合わせる際にキーシート６の表面側から見た外観斜視図であり、図８は、キートップ４を接着させたキーシート６にキーホルダ１０を貼り合わせる際にキーシート６の裏面側から見た外観斜視図である。
【００２１】
図７および図８に示されるように、キーシート６の表面の第２領域は、サイドキーのキートップ４を携帯電話機の筐体１に組み込んだ際に、このキートップ４を支持するキーホルダ１０が接着剤を用いて接着して設けられる。このとき、キーホルダ１０の裏面に設けられているキーホルダ裏面ピン１１−１乃至１１−３は、キーシート６の表面の第２領域に設けられるキーホルダ裏面ピン穴７−１乃至７−３にそれぞれ嵌め込まれる。これにより、キーシート６の表面の所望の位置に、キーホルダ１０が接着されて設けられる。なお、キーシート６の表面の第２領域にキーホルダ１０が接着される場合、キーシート６の表面の第２領域に予め貼付された接着剤の乾燥を保護するための保護シート（図示せず）が剥がされた上で、キーホルダ１０がキーシート６に接着される。
【００２２】
なお、図７に示されるように、キーホルダ１０の表面には、キーシート６の裏面をキーホルダ１０に巻き付けて接着した場合に、キーシート６の裏面の端部（キーシート６の裏面の第３領域）に設けられたキーホルダ表面ピン穴８−１乃至８−３と嵌合するキーホルダ表面ピン１２−１乃至１２−３が設けられている。
【００２３】
次に、図９および図１０は、図７乃至図８に示される、キートップ４とキーホルダ１０が接着されたキーシート６にフレキシブルプリント基板３（以下、単に「キー基板３」という。）を貼り合わせる際の外観斜視図である。図９および図１０を参照して、図７乃至図８に示される、キートップ４とキーホルダ１０が接着されたキーシート６にキー基板３を貼り合わせる工程を説明する。なお、図９は、キートップ４とキーホルダ１０が接着されたキーシート６にキー基板３を貼り合わせる際にキーシート６の表面側から見た外観斜視図であり、図１０は、キートップ４とキーホルダ１０が接着されたキーシート６にキー基板３を貼り合わせる際にキーシート６の裏面側から見た外観斜視図である。
【００２４】
図９および図１０に示されるように、キーシート６の裏面の第２領域には、サイドキーのキートップ４のキー基板３が接着剤を用いて接着して設けられる。キー基板３には、携帯電話機のメインの回路基板２に接続する際に用いられる板状の接続端子１４が設けられている。サイドキーのキートップ４のキー基板３が接着剤を用いてキーシート６に接着される場合、キーシート６の裏面の第２領域に設けられたキーホルダ裏面ピン穴７−１乃至７−３から一部突出したキーホルダ１０のキーホルダ裏面ピン１１−１乃至１１−３が、キー基板３の表面に設けられるピン穴１３−１乃至１３−３にそれぞれ嵌め込まれる。これにより、キーシート６の裏面の所望の位置に、キー基板３が接着されて設けられる。なお、キーシート６の裏面の第２領域にキー基板３が接着される場合、キーホルダ１０の場合と同様に、キーシート６の裏面の第２領域に予め貼付された接着剤の乾燥を保護するための保護シート（図示せず）が剥がされた上で、キー基板３がキーシート６の裏面に接着される。
【００２５】
図１１は、キートップ４とキーホルダ１０、さらにキー基板３が接着されたキーシート６の外観斜視図を表している。また、図１２（Ａ）は、キートップ４とキーホルダ１０、さらにキー基板３が接着されたキーシート６の正面図を表しており、図１２（Ｂ）は、サイドキーのユニット化の工程によってユニット化されたキーユニットを表している。図１１と図１２を参照して、サイドキーのユニット化の最終工程である、キーシート６の裏面の端部（キーシート６の裏面の第３領域）をキーシート６の表面に接着されたキーホルダ１０の表面に貼り合わせる工程を説明する。
【００２６】
図１１と図１２（Ａ）に示されるように、キーシート６の裏面はキー基板３を挟みつつキーホルダ１０の表面に巻き付けられるとともに、キーシート６の裏面の端部（キーシート６の裏面の第３領域）がキーホルダ１０の表面の一部に接着剤を用いて接着される。キーシート６の裏面がキーホルダ１０の表面に巻き付けられる場合、キーシート６の裏面の第１の領域と第２の領域との間で（図１１に示されるＳ−Ｓ´線近傍で）キーシート６が折り返され、キーシート６の表面の第１の領域に設けられるキートップ４と、キーシート６の表面の第２の領域に設けられるキーホルダ１０とが、キーシート６の裏面に設けられるキー基板３を挟んで背中合わせに対向され、結果として、キーシート６の一部（キートップ４が設けられた、キーシート６の表面および裏面の第１の領域に対応する部分）がキートップ４とキー基板３との間に挟持されることとなる。なお、キーシート６の裏面の端部（キーシート６の裏面の第３領域）がキーホルダ１０の表面の一部に接着剤を用いて接着される場合、キーホルダ１０の表面に設けられたピン１３−１乃至１３−３が、キーシート６の裏面に設けられるキーホルダ表面ピン穴８−１乃至８−３にそれぞれ嵌め込まれる。これにより、図１２（Ｂ）に示されるようなユニット化されたキーユニットが形成される。
【００２７】
図１３は、サイドキーのユニット化の工程によってユニット化されたサイドキーユニットの外観斜視図を表している。図１３に示されるように、キートップ４とキーホルダ１０さらにキー基板３（フレキシブルプリント基板３）とがキーシート６に接着されてユニット化されている。図１４は、図１３のＮ−Ｎ´線上におけるユニット化されたサイドキーユニットの断面図を表している。図１４に示されるように、キーシート６に接着されたサイドキーのキートップ４は、ユニット化工程にてキーシート６の裏面がキー基板３を挟みつつキーホルダ１０の表面に巻き付けられることで、フレキシブルプリント基板３との間で好適に固定されつつ、フレキシブルプリント基板３に近接して設けられている。これにより、組立て時におけるキートップ４の筐体１１からの脱落などを防止することができ、キートップ４の組み立てに多くの手間を好適に省くことができる。また、キートップ４とサイドキー用のフレキシブルプリント基板３との間で接触不良の発生を好適に防止することができる。
【００２８】
このとき、同時に、キーシート６の裏面がキー基板３を挟みつつキーホルダ１０の表面に巻き付けられることで、キーシート６の巻き付けに伴ってキーシート６自体が適度なたわみを持ち、キーシート６自体のたわみに伴う適度な反発力が生じることになる。
【００２９】
そのため、ユーザにより図１４の矢印Ｔ方向からサイドキーのキートップ４が押圧されると、キートップ４に形成された押圧凸部９が、フレキシブルプリント基板３に設けられた皿バネ３ａを押圧するが、ユーザによるキートップ４への押圧に対して、キーシート６自体のたわみに伴う相応な反発力が生じることから、ユーザは、従来のキートップ４の押圧に伴うクリック感よりも高いクリック感を享受することができる。
【００３０】
図１５は、ユニット化後のサイドキーユニットの筐体１への組み立て時における工程を説明するための説明図である。図１５に示されるように、携帯電話機の筐体１にメインの回路基板２が組み込まれる際、メインの回路基板２の一側面には、まず、ユニット化後のサイドキーユニットが接続端子（接続端子１４）を介して接続され、サイドキーユニット自体が回路基板２に適度に固定される。次に、筐体１には、サイドキーユニットが接続されたメインの回路基板２が、図１５の矢印Ｙの方向から嵌め込まれる。このとき、回路基板２に接続されたサイドキーユニットは、筐体１に予め設けられた開口部Ｐ１乃至Ｐ２にそれぞれ嵌め込まれる。
【００３１】
図１６は、図１５の組み立て工程により組立てられたサイドキーユニットの断面図を表している。図１６に示されるように、筐体１の開口部Ｐ（Ｐ１乃至Ｐ２）には、ユニット化後のサイドキーユニットが嵌め込まれている。このとき、キーシート６に接着されたサイドキーのキートップ４は、フレキシブルプリント基板３（キー基板３）に好適に固定されつつ、フレキシブルプリント基板３に近接して設けられている。
【００３２】
これにより、ユニット化後のサイドキーユニット自体が回路基板２に接続されて固定された上で、筐体１への組立てを行うようにいたので、組立て時におけるキートップ４の筐体１１からの脱落などを未然に防止することができ、キートップ４の組み立てに多くの手間を好適に省くことができる。従って、キートップ４の組立て効率を向上させることができる。また、キートップ４とサイドキー用のフレキシブルプリント基板３との間で接触不良の発生を好適に防止することができる。さらに、サイドキーユニットのユニット化に伴い、これまで直接キートップ４が組み込まれていた筐体１の金型を簡素化することができる。例えば成形型から抜き型に金型を変更することができる。
【００３３】
なお、本発明は、携帯電話機以外にも、ＰＤＡ（Personal Digital Assistant）、パーソナルコンピュータ、携帯型ゲーム機、携帯型音楽再生機、携帯型動画再生機、その他の情報処理装置にも適用することができる。
【図面の簡単な説明】
【００３４】
【図１】シリコンラバーに接着された従来のサイドキーのキートップの筐体への組み立て時における工程を説明するための説明図。
【図２】図１の組み立て工程により組立てられたフレキシブルプリント基板とサイドキーのキートップの断面図。
【図３】本発明に係る、キートップを接着させたキーシートの外観斜視図。
【図４】図３のキートップを接着させたキーシートの展開図。
【図５】図３のキートップを接着させたキーシートの他の展開図。
【図６】図５（Ａ）のＭ−Ｍ´線上における断面図。
【図７】キートップを接着させたキーシートにキーホルダを貼り合わせる際にキーシートの表面側から見た外観斜視図。
【図８】キートップを接着させたキーシートにキーホルダを貼り合わせる際にキーシートの裏面側から見た外観斜視図。
【図９】キートップとキーホルダが接着されたキーシートにキー基板を貼り合わせる際にキーシートの表面側から見た外観斜視図。
【図１０】キートップとキーホルダが接着されたキーシートにキー基板を貼り合わせる際にキーシートの裏面側から見た外観斜視図。
【図１１】キートップとキーホルダ、さらにキー基板が接着されたキーシートの外観斜視図。
【図１２】（Ａ）は、キートップとキーホルダさらにキー基板が接着されたキーシートの正面図であり、図１２（Ｂ）は、サイドキーのユニット化の工程によってユニット化されたキーユニットを示す図。
【図１３】サイドキーのユニット化の工程によってユニット化されたサイドキーユニットの外観斜視図。
【図１４】図１３のＮ−Ｎ´線上におけるユニット化されたサイドキーユニットの断面図。
【図１５】ユニット化後のサイドキーユニットの筐体への組み立て時における工程を説明するための説明図。
【図１６】図１５の組み立て工程により組立てられたサイドキーユニットの断面図。
【符号の説明】
【００３５】
１…筐体、２…回路基板、３…フレキシブルプリント基板（キー基板）、４（４ａ乃至４ｄ）…キートップ、５…シリコンラバー、６…キーシート、７（７−１乃至７−３）…キーホルダ裏面ピン穴、８…キーホルダ表面ピン穴、９（９−１乃至９−５）…押圧凸部、１０…キーホルダ、１１（１１−１乃至１１−３）…キーホルダ裏面ピン、１２（１２−１乃至１２−３）…キーホルダ表面ピン、１３（１３−１乃至１３−３）…ピン穴、１４…接続端子。
【図１】
0004863987.tif 000002
【図２】
0004863987.tif 000003
【図３】
0004863987.tif 000004
【図４】
0004863987.tif 000005
【図５】
0004863987.tif 000006
【図６】
0004863987.tif 000007
【図７】
0004863987.tif 000008
【図８】
0004863987.tif 000009
【図９】
0004863987.tif 000010
【図１０】
0004863987.tif 000011
【図１１】
0004863987.tif 000012
【図１２】
0004863987.tif 000013
【図１３】
0004863987.tif 000014
【図１４】
0004863987.tif 000015
【図１５】
0004863987.tif 000016
【図１６】
0004863987.tif 000017